【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
硬質チューブ（９）の内側に入れられるようにされた少なくとも１つの受信ユニット（１）を有し、該受信ユニット（１）の各々は２つのカップ（２ａ，２ｂ）からなるケーシングを有する水中聴音器であって、該カップの各々は他方のカップの対応する支持面と当接する支持面を有し、該カップの各々は、柔軟性のある中央部分と、少なくとも１つの該カップの該中央部分に固定され、電極（５）と組み合わされた少なくとも１つの感知要素（４）と、各々の該感知要素（４）の該電極（５）に接続されたリード線（５ａ）とを備えている水中聴音器の製造方法であって、順に、
少なくとも１つのケーシングを、平らな長方形をなし、互いに反対側の２つの側面で前記硬質チューブの内側壁面に支持されるのに適したセンタリング要素の中にはめ込むことと、
前記ケーシングがはめられた前記センタリング要素を、前記硬質チューブの中へ挿入することと、
前記センタリング要素（６）の各側で前記硬質チューブ（９）の内部に残った容積の主要部分を、前記センタリング要素（６）の各側で適切に決められた厚さのスペースを除いて埋めるように、前記硬質チューブ（９）の中にモールディングピース（１２）を挿入することと、
硬質チューブ（９）内の、前記センタリング要素（６）の周りの前記スペースに、シール性の保護シース（１１）を形成する材料を注入することとを有する、水中聴音器の製造方法。
【請求項２】
前記受信ユニット（１）を前記硬質チューブ（９）に直接接触させないために、前記保護シース（１１）の形成後、前記センタリング要素（６）を取り出すことを有する、請求項１に記載の水中聴音器の製造方法。
【請求項３】
前記センタリング要素（６）を取り出したことによって開放され、モールディングピース（１４）の挿入によって境界が画定された空間の少なくとも一部に、前記各受信ユニット（１）を絶縁するシール材料を注入することを含む、請求項２に記載の水中聴音器の製造方法。
【請求項４】
選定された前記シール材料は、前記各受信ユニット（１）を前記硬質チューブ（９）に対して音響的に分離する振動ダンピング材料である、請求項３に記載の水中聴音器の製造方法。
【請求項５】
振動ダンピング材料でできた前記センタリング要素を用い、前記センタリング要素に入れられた前記ケーシングは、シール性の保護シースを形成する前記の注入された材料の中に埋め込まれることを含む、請求項１に記載の水中聴音器の製造方法。
【請求項６】
２つのカップ（２ａ，２ｂ）からなるケーシングを有する少なくとも１つの受信ユニット（１）であって、該カップの各々は他方のカップの対応する支持面と当接する支持面を有し、該カップの各々は、柔軟性のある中央部分と、少なくとも１つの該カップの中央部分の、外部の静圧の増加を受けたときに凹形になる該カップの面上に固定され、電極（５）と組み合わされた少なくとも１つの感知要素（４）と、各々の該感知要素（４）の該電極（５）に接続されたリード線（５ａ）とを備えた受信ユニット（１）と、
硬質の外部チューブ（９）と、
前記受信ユニット（１）と前記硬質チューブ（９）の内側壁面の一部とに制御された厚さのコーティングを形成するシール材料を注入することによって、少なくとも１つのケーシングを該チューブの１つの直径面内に位置決めする、シール性位置決め手段とを有する水中聴音器。
【請求項７】
前記シール性位置決め手段は、前記カップ（２ａ，２ｂ）の支持面を含む前記硬質チューブ（９）の径方向領域に２つのリセス（１５）を有する、請求項６に記載の水中聴音器。
【請求項８】
前記２つのリセス（１５）の一部は振動ダンピング材料で充填されている、請求項７に記載の水中聴音器。
【請求項９】
前記シール性位置決め手段は、互いに反対側の２つの側面で前記硬質チューブの内側壁面に該硬質チューブの軸方向面で支持されるのに適し、中空で平らなセンタリング要素（６）を有し、該センタリング要素は、少なくとも１つのケーシングのためのリセスと、該センタリング要素（６）の周りに制御された厚さのシール性の保護コーティング（１１）とを備えている、請求項６に記載の水中聴音器。
【請求項１０】
前記センタリング要素（６）には、前記ケーシングの前記２つのカップ（２ａ，２ｂ）の周囲のリム（３）をはめ込む内側スロット（８）が設けられている、請求項９に記載の水中聴音器。
【請求項１１】
前記センタリング要素（６）は一体物として作られている、請求項９または１０に記載の水中聴音器。
【請求項１２】
前記センタリング要素（６）は、間に前記ケーシングが支持される２つのピース（６ａ，６ｂ）から作られている、請求項９または１０に記載の水中聴音器。
【請求項１３】
前記センタリング要素（６）は、間に前記ケーシングが支持される２つの脚部を有する１つのＵ字形のピースから作られている、請求項９または１０に記載の水中聴音器。
【請求項１４】
前記各受信ユニットは、前記各ケーシングの２つの前記カップ（２ａ，２ｂ）と各々組み合わされた２つの感知要素を有している、請求項９から１３のいずれか１項に記載の水中聴音器。
【請求項１５】
前記カップ（２ａ，２ｂ）は、エンボス加工による成形プロセスで得られる、請求項９から１４のいずれか１項に記載の水中聴音器。
【手続補正２】
【補正対象書類名】明細書
【補正対象項目名】００１１
【補正方法】変更
【補正の内容】
【００１１】
本発明による水中聴音器の製造方法は、硬質チューブの内側に入れられるようにされた少なくとも１つの受信ユニットを有し、受信ユニットの各々は２つのカップからなるケーシングを有する水中聴音器の製造方法である。カップの各々は他方のカップの対応する支持面と当接する支持面を有し、カップの各々は、柔軟性のある中央部分と、少なくとも１つのカップの中央部分に固定され、電極と組み合わされた少なくとも１つの感知要素と、各々の感知要素の電極に接続されたリード線とを備えている。水中聴音器の製造方法は次の工程を順に有する。
【手続補正３】
【補正対象書類名】明細書
【補正対象項目名】００１２
【補正方法】変更
【補正の内容】
【００１２】
（ａ）少なくとも１つのケーシングを、平らな長方形をなし、互いに反対側の２つの側面で硬質チューブの内側壁面に支持されるのに適したセンタリング要素の中にはめ込むこと
（ｂ）ケーシングがはめられたセンタリング要素を、硬質チューブの中へ挿入すること
（ｃ）センタリング要素の各側で硬質チューブの内部に残った容積の主要部分を、センタリング要素の各側で適切に決められた厚さのスペースを除いて埋めるように、硬質チューブの中にモールディングピースを挿入すること
（ｄ）硬質チューブ内の、センタリング要素の周りのスペースに、シール性の保護シースを形成する材料を注入すること
この方法は、例えば、受信ユニットを硬質チューブに直接接触させないために、保護シースの形成後、センタリング要素を取り出すことを含む。
【手続補正４】
【補正対象書類名】明細書
【補正対象項目名】００１３
【補正方法】変更
【補正の内容】
【００１３】
他の実施態様によれば、センタリング要素を取り出したことによって開放され、モールディングピースの挿入によって境界が画定された空間の少なくとも一部に、各受信ユニットを絶縁するシール材料が注入される。シール材料には、各受信ユニットを硬質チューブに対して音響的に分離する振動ダンピング材料を用いることができる。
【手続補正５】
【補正対象書類名】明細書
【補正対象項目名】００１４
【補正方法】変更
【補正の内容】
【００１４】
他の実施態様によれば、振動ダンピング材料でできたセンタリング要素が用いられ、センタリング要素に入れられたケーシングは、シール性の保護シースを形成する注入された材料の中に埋め込まれる。
【手続補正６】
【補正対象書類名】明細書
【補正対象項目名】００１５
【補正方法】変更
【補正の内容】
【００１５】
本発明による水中聴音器は、２つのカップからなるケーシングを有する少なくとも１つの受信ユニットであって、カップの各々は他方のカップの対応する支持面と当接する支持面を有し、カップの各々は、柔軟性のある中央部分と、少なくとも１つのカップの中央部分の、外部の静圧の増加を受けたときに凹形になるカップの面上に固定され、電極と組み合わされた少なくとも１つの感知要素と、各々の感知要素の電極に接続されたリード線とを備えた受信ユニットを含んでいる。
【手続補正７】
【補正対象書類名】明細書
【補正対象項目名】００１６
【補正方法】変更
【補正の内容】
【００１６】
水中聴音器は、硬質の外部チューブと、受信ユニットと硬質チューブの内側壁面の一部とに制御された厚さのコーティングを形成するシール材料を注入することによって、少なくとも１つのケーシングをチューブの１つの直径面内に位置決めする、シール性位置決め手段とを有している。
【手続補正８】
【補正対象書類名】明細書
【補正対象項目名】００１７
【補正方法】変更
【補正の内容】
【００１７】
【課題を解決する手段】
他の実施態様によれば、シール性位置決め手段は、カップの支持面を含む硬質チューブの径方向領域に２つのリセスを有し、その一部は振動ダンピング材料で充填されていてもよい。
【手続補正９】
【補正対象書類名】明細書
【補正対象項目名】００１８
【補正方法】変更
【補正の内容】
【００１８】
他の実施態様によれば、シール性位置決め手段は、互いに反対側の２つの側面で硬質チューブの内側壁面に硬質チューブの軸方向面で支持されるのに適し、中空で平らなセンタリング要素を有し、センタリング要素は、少なくとも１つのケーシングのためのリセスと、センタリング要素の周りに制御された厚さのシール性の保護コーティングとを備えている。
【手続補正１０】
【補正対象書類名】明細書
【補正対象項目名】００１９
【補正方法】変更
【補正の内容】
【００１９】
センタリング要素には、望ましくは、ケーシングの２つのカップの周囲のリムをはめ込む内側スロットが設けられている。センタリング要素は一体物として作られてよいが、間にケーシングが支持される２つのピース、または、間にケーシングが支持される２つの脚部を有する１つのＵ字形のピースから作られてもよい。
【手続補正１１】
【補正対象書類名】明細書
【補正対象項目名】００２０
【補正方法】変更
【補正の内容】
【００２０】
各受信ユニットは、各ケーシングの２つのカップと各々組み合わされた２つの感知要素を有している。カップは、エンボス加工による成形プロセスで得ることができる。